(57)【特許請求の範囲】
【請求項１】
前面基板の背面側に、行方向に延び列方向に並設されてそれぞれ表示ラインを形成する複数の行電極対とこの行電極対を被覆する誘電体層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と背面基板との間に配置されて列方向に延びる縦壁部と行方向に延びる横壁部によって放電空間を単位発光領域毎に行方向と列方向に区画する隔壁を備え、
互いに隣接する行に沿って並ぶ前記単位発光領域の間の横壁部が行方向と平行な隙間によって分離されており、
前記隔壁の横壁部および隙間に対向する誘電体層の部分に、横壁部側に張り出すように形成されて横壁部とともに列方向に隣接する単位発光領域の間を閉じる嵩上げ部が形成され、
この嵩上げ部の前面基板側から見て隔壁の縦壁部と同列に並ぶ位置に、隙間内と列方向に隣接する単位発光領域の放電空間内とを互いに連通する連通部が形成されている、
ことを特徴とするプラズマディスプレイパネル。
【請求項２】
前記隙間に対向する前面基板の部分に、光吸収層が設けられている請求項１に記載のプラズマディスプレイパネル。
【請求項３】
前面基板の背面側に、行方向に延び列方向に並設されてそれぞれ表示ラインを形成する複数の行電極対とこの行電極対を被覆する誘電体層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と背面基板との間に配置されて列方向に延びる縦壁部と行方向に延びる横壁部によって放電空間を単位発光領域毎に行方向と列方向に区画する隔壁を備え、
互いに隣接する行に沿って並ぶ前記単位発光領域の間の横壁部が行方向と平行な隙間によって分離されており、
前記隙間内と列方向に隣接する単位発光領域の放電空間内とが連通部によって互いに連通されており、
前記背面基板上の隙間内に面する部分において、列電極と対向する部分に、隔壁よりも高さが低い誘電体リブが形成されている、
ことを特徴とするプラズマディスプレイパネル。
【請求項４】
前記列電極が誘電体リブ上に形成されている請求項３に記載のプラズマディスプレイパネル。
【請求項５】
前記誘電体リブが、各列電極ごとに島状に形成されている請求項３に記載のプラズマディスプレイパネル。
【請求項６】
前記誘電体リブが、行方向に沿って延びる帯状に形成されている請求項３に記載のプラズマディスプレイパネル。
【請求項７】
前記隔壁の横壁部および隙間に対向する誘電体層の部分に、横壁部側に張り出すように形成されて横壁部とともに列方向に隣接する単位発光領域の間を閉じる嵩上げ部が形成され、
前記連通部が、嵩上げ部の前面基板側から見て隔壁の縦壁部と同列に並ぶ位置に形成されている請求項３に記載のプラズマディスプレイパネル。
【請求項８】
前記隙間に対向する前面基板の部分に、光吸収層が設けられている請求項３に記載のプラズマディスプレイパネル。
【請求項９】
前面基板の背面側に、行方向に延び列方向に並設されてそれぞれ表示ラインを形成する複数の行電極対とこの行電極対を被覆する誘電体層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と背面基板との間に配置されて列方向に延びる縦壁部と行方向に延びる横壁部によって放電空間を単位発光領域毎に行方向と列方向に区画する隔壁を備え、
互いに隣接する行に沿って並ぶ前記単位発光領域の間の横壁部が行方向と平行な隙間によって分離されており、
前記隙間内と列方向に隣接する単位発光領域の放電空間内とが連通部によって互いに連通されており、
前記背面基板上の隙間内に面する部分において、列電極と対向する部分に、２次電子放出係数が高い材料によって形成された層が設けられている、
ことを特徴とするプラズマディスプレイパネル。
【請求項１０】
前記隔壁の横壁部および隙間に対向する誘電体層の部分に、横壁部側に張り出すように形成されて横壁部とともに列方向に隣接する単位発光領域の間を閉じる嵩上げ部が形成され、
前記連通部が、嵩上げ部の前面基板側から見て隔壁の縦壁部と同列に並ぶ位置に形成されている請求項９に記載のプラズマディスプレイパネル。
【請求項１１】
前記隙間に対向する前面基板の部分に、光吸収層が設けられている請求項９に記載のプラズマディスプレイパネル。
【請求項１２】
前面基板の背面側に、行方向に延び列方向に並設されてそれぞれ表示ラインを形成する複数の行電極対とこの行電極対を被覆する誘電体層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、
前記前面基板と背面基板との間に配置されて列方向に延びる縦壁部と行方向に延びる横壁部によって放電空間を単位発光領域毎に行方向と列方向に区画する隔壁を備え、
互いに隣接する行に沿って並ぶ前記単位発光領域の間の横壁部が行方向と平行な隙間によって分離されており、
前記隙間内と列方向に隣接する単位発光領域の放電空間内とが連通部によって互いに連通されており、
前記背面基板の隙間に対向する部分に紫外線を放出する蛍光体層が設けられている、
ことを特徴とするプラズマディスプレイパネル。
【発明の詳細な説明】
【０００１】
【発明の属する技術分野】
この発明は、面放電方式交流型のプラズマディスプレイパネルのパネル構造に関する。
【０００２】
【発明が解決しようとする課題】
近年、大型で薄型のカラー画面表示装置として面放電方式交流型プラズマディスプレイパネルが注目を集めており、その普及が図られて来ている。
【０００３】
図１７は、この面放電方式交流型プラズマディスプレイパネルの従来のセル構造を模式的に示す平面図であり、図１８は、図１７のＶ−Ｖ線における断面図、図１９は、図１７のＷ−Ｗ線における断面図である。
【０００４】
この図１７ないし１９において、プラズマディスプレイパネル（以下、ＰＤＰ）の表示面となる前面ガラス基板１側には、その裏面に、複数の行電極対（Ｘ’，Ｙ’）と、この行電極対（Ｘ’，Ｙ’）を被覆する誘電体層２と、この誘電体層２の裏面を被覆するＭｇＯからなる保護層３が順に設けられている。
【０００５】
各行電極Ｘ’，Ｙ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されている。
【０００６】
そして、行電極Ｘ’とＹ’とが放電ギャップｇ’を挟んで対向するように列方向に交互に配置されており、各行電極対（Ｘ’，Ｙ’）によって、マトリクス表示の１表示ライン（行）Ｌが構成されている。
【０００７】
一方、放電ガスが封入された放電空間Ｓ’を介して前面ガラス基板１に対向する背面ガラス基板４には、行電極対Ｘ’，Ｙ’と直交する方向に延びるように配列された複数の列電極Ｄ’と、この列電極Ｄ’間にそれぞれ平行に延びるように形成された帯状の隔壁５と、この隔壁５の側面と列電極Ｄ’を被覆するそれぞれＲ，Ｇ，Ｂに色分けされた蛍光体層６とが設けられている。
【０００８】
そして、各表示ラインＬにおいて、放電空間Ｓ’が、列電極Ｄ’と行電極対（Ｘ’，Ｙ’）が交差する部分ごとに隔壁５によって区画されることによって、単位発光領域である放電セルＣ’がそれぞれ画定されている。
【０００９】
上記の面放電方式交流型ＰＤＰにおける画像の表示は、以下のようにして行われる。
すなわち、先ず、アドレス操作により、各放電セルＣ’において行電極対（Ｘ’，Ｙ’）と列電極Ｄ’との間で選択的に放電（対向放電）が行われて、この対向放電により、点灯セル（誘電体層２に壁電荷が形成されている放電セル）と消灯セル（誘電体層２に壁電荷が形成されていない放電セル）とが、表示する画像に対応してパネル上に分布される。
【００１０】
このアドレス操作の後、全表示ラインＬにおいて一斉に、行電極対（Ｘ’，Ｙ’）に対して交互に放電維持パルスが印加され、この放電維持パルスが印加される毎に、点灯セルにおいて面放電が発生される。
【００１１】
以上のようにして、点灯セルにおける面放電により紫外線が発生され、各放電セルＣ’内のＲ，Ｇ，Ｂの蛍光体層６がそれぞれ励起されて発光することにより、表示画像が形成される。
【００１２】
ここで、上記のような従来のＰＤＰの構造では、画面の精細度を上げるために各放電セルＣ’のサイズを小さくすると、それに伴って、蛍光体層６の表面積が減少することにより、画面の輝度が低下してしまうという問題が生じる。
【００１３】
さらに、この画面の高精細化に対応するために、行電極対（Ｘ’，Ｙ’）のピッチを狭めてゆくと、列方向（図１７の上下方向）に隣接する放電セルＣ’間に放電の干渉が生じて、誤放電が発生し易くなるという問題が生じる。
そこで、この発明の出願人は、先に、図２０〜２４に示されるような新規な面放電方式交流型ＰＤＰの提案を行っている。
【００１４】
このＰＤＰは、図２０ないし２４において、表示面である前面ガラス基板１０の背面に、複数の行電極対（Ｘ，Ｙ）が、前面ガラス基板１０の行方向（図２０の左右方向）に延びるように平行に配列されている。
【００１５】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００１６】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００１７】
この行電極ＸとＹは、前面ガラス基板１０の列方向（図２０の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００１８】
バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
【００１９】
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
そして、この誘電体層１１と嵩上げ誘電体層１１Ａの背面側には、ＭｇＯからなる保護層１２が形成されている。
【００２０】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００２１】
背面ガラス基板１３の表示側の面上には、さらに、列電極Ｄを被覆する白色の誘電体層１４が形成され、この誘電体層１４上に、隔壁１５が形成されている。この隔壁１５は、互いに平行に配列された各列電極Ｄの間の位置において列方向に延びる縦壁１５ａと、嵩上げ誘電体層１１Ａに対向する位置において行方向に延びる横壁１５ｂとによって井桁状に形成されている。
【００２２】
そして、この井桁状の隔壁１５によって、前面ガラス基板１０と背面ガラス基板１３の間の放電空間Ｓが、各行電極対（Ｘ，Ｙ）において対となった透明電極ＸａとＹａに対向する部分毎に区画されて、それぞれ方形の放電セルＣが形成されている。
【００２３】
この隔壁１５は、その表示面側に形成された黒色層（光吸収層）１５’と背面側の白色層（光反射層）１５”の二層構造に形成されており、放電空間Ｓに面する側壁面がほぼ白色（すなわち、光反射層）になるように構成されている。
【００２４】
隔壁１５の縦壁１５ａの表示側の面は保護層１２に当接されておらず（図  ２８参照）、その間に隙間ｒが形成されているが、横壁１５ｂの表示側の面が、保護層１２の嵩上げ誘電体層１１Ａを被覆している部分に当接されていて（図２１および２２参照）、列方向において隣接する放電セルＣとの間がそれぞれ閉塞されている。
【００２５】
放電空間Ｓに面する隔壁１５の縦壁１５ａおよび横壁１５ｂの側面と誘電体層１４の表面には、これらの五つの面を全て覆うように蛍光体層１６が、それぞれ順に形成されており、この蛍光体層１６の色は、各放電空間Ｓ毎にＲ，Ｇ，Ｂの色が行方向に順に並ぶように設定される。
そして、放電空間Ｓ内には、放電ガスが封入されている。
【００２６】
このＰＤＰは、行電極対（Ｘ，Ｙ）がそれぞれマトリクス表示画面の１表示ライン（行）Ｌを構成している。
このＰＤＰにおける画像表示は、図１７〜１９のＰＤＰと同様に、先ず、アドレス操作による行電極対（Ｘ，Ｙ）と列電極Ｄとの間の選択的な放電によって、全表示ラインＬに点灯セルと消灯セルとが、形成する画像に対応してパネル上に分布され、この後、全表示ラインＬにおいて一斉に、行電極対（Ｘ，Ｙ）に対して交互に放電維持パルスが印加されて、各点灯セルにおいて面放電が発生される。
【００２７】
そして、この点灯セルにおける面放電により紫外線が発生され、放電セルＣ内のＲ，Ｇ，Ｂの各蛍光体層１６がそれぞれ励起されて発光することにより、表示画面が形成される。
【００２８】
上記ＰＤＰは、行電極Ｘ，Ｙの透明電極Ｘａ，Ｙａが、バス電極Ｘｂ，Ｙｂから互いに対となる相手の行電極側に延びて、それぞれ放電セルＣ毎に島状に独立するように構成されているために、画面の精細度を上げるために各放電セルＣのサイズを小さくしても、行方向において隣接する放電セルＣ間で放電の干渉が生じる虞が無いという特徴を備えている。
【００２９】
さらにまた、誘電体層１１に嵩上げ誘電体層１１Ａが形成され、この嵩上げ誘電体層１１Ａを被覆する保護層１２が隔壁１５の横壁１５ｂの表示側の面に当接されて列方向において隣接する放電セルＣ間が互いに閉塞されていることにより、この列方向において隣接する放電セルＣ間で放電の干渉が生じるのが防止され、その一方で、隔壁１５の縦壁１５ａの表示側の面が、誘電体層１１の嵩上げ誘電体層１１Ａが形成されていない部分に対向されていて、この縦壁１５ａの表示側の面と保護層１２との間に隙間ｒが形成されている（図２３および２４参照）ことにより、行方向において互いに隣接する放電セルＣの間が隙間ｒを介して僅かに連通されていて、これにより、放電を連鎖的に生じさせるプライミング効果が発生し、放電動作の安定化を図ることが出来るという特徴を備えている。
【００３０】
しかしながら、上記のようなＰＤＰの構造においては、嵩上げ誘電体層１１Ａを被覆する保護層１２と横壁１５ｂとが当接されて列方向において隣接する放電セルＣの間が完全に閉じられているために、上述したような行方向において隣接する放電セルＣの間で確保されているプライミング効果が、列方向においては全く確保することが出来ず、そのため、画像形成時のアドレス操作における選択放電の放電遅れ時間が長くなる。
【００３１】
そして、選択放電を安定させるためには、アドレス操作時に印加する駆動パルスのパルス幅を広くする必要があるが、その結果として、アドレス操作に要する時間が長くなってしまうという問題が生じる。
【００３２】
この発明は、上記のような面放電方式交流型プラズマディスプレイパネルにおける問題点を解決するために為されたものである。
すなわち、この発明は、列方向において隣接する単位発光領域の間が閉じられているプラズマディスプレイパネルにおいて、プライミング効果を確保することが出来るプラズマディスプレイパネルを提供することを目的とする。
【００３３】
【課題を解決するための手段】
第１の発明によるプラズマディスプレイパネルは、上記目的を達成するために、前面基板の背面側に、行方向に延び列方向に並設されてそれぞれ表示ラインを形成する複数の行電極対とこの行電極対を被覆する誘電体層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、前記前面基板と背面基板との間に配置されて列方向に延びる縦壁部と行方向に延びる横壁部によって放電空間を単位発光領域毎に行方向と列方向に区画する隔壁を備え、互いに隣接する行に沿って並ぶ前記単位発光領域の間の横壁部が行方向と平行な隙間によって分離されており、前記隔壁の横壁部および隙間に対向する誘電体層の部分に、横壁部側に張り出すように形成されて横壁部とともに列方向に隣接する単位発光領域の間を閉じる嵩上げ部が形成され、この嵩上げ部の前面基板側から見て隔壁の縦壁部と同列に並ぶ位置に、隙間内と列方向に隣接する単位発光領域の放電空間内とを互いに連通する連通部が形成されていることを特徴としている。
【００３４】
この第１の発明によるプラズマディスプレイパネルは、列方向に延びる縦壁部と行方向に延びる横壁部を有する隔壁によって、前面基板と背面基板の間の放電空間が単位発光領域毎に区画される。
【００３５】
そして、互いに隣接する行に沿って並ぶ単位発光領域の間の横壁部が行方向と平行な隙間によって分離され、この分離された横壁間の隙間が、連通部によって、列方向に隣接する単位発光領域の放電空間内にそれぞれ連通されている。
【００３６】
従って、この第１の発明によれば、列方向において互いに隣接する単位発光領域の間が隔壁の横壁部によって閉じられている場合でも、単位発光領域において発生する放電にともなう横壁間の隙間内における放電によって生じたプライミング粒子（種火）が、連通部を介して、列方向において隣接している単位発光領域内に拡散して放電を誘発し、これによって、列方向において隣接する単位発光領域間におけるプライミング効果が確保される。
さらに、誘電体層に横壁部側に張り出すように形成された嵩上げ部と横壁部とによって、列方向に隣接する単位発光領域間が閉じられて、この列方向に隣接する単位発光領域間における誤放電の発生が防止されるとともに、この嵩上げ部に形成されて分離された横壁間の隙間と列方向に隣接する単位発光領域とを連通する連通部によって、横壁間の隙間内における放電によって生じたプライミング粒子（種火）が、列方向において隣接している単位発光領域内に拡散して放電を誘発し、これによって、列方向において隣接する単位発光領域間におけるプライミング効果が確保される。
【００３７】
第２のプラズマディスプレイパネルは、前記目的を達成するために、第１の発明の構成に加えて、前記隙間に対向する前面基板の部分に、光吸収層が設けられていることを特徴としている。
この第２の発明によるプラズマディスプレイパネルによれば、非表示ラインである隔壁の横壁間の隙間に対向する前面基板の部分に形成された光吸収層によって、隙間内において列電極と行電極間にプライミングのための放電が発生しても、その光が前面基板側から画像表示面に漏れるのが防止されて、画像のコントラストに悪影響を与える虞がなくなる。
【００３８】
第３の発明のプラズマディスプレイパネルは、前記目的を達成するために、前面基板の背面側に、行方向に延び列方向に並設されてそれぞれ表示ラインを形成する複数の行電極対とこの行電極対を被覆する誘電体層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、前記前面基板と背面基板との間に配置されて列方向に延びる縦壁部と行方向に延びる横壁部によって放電空間を単位発光領域毎に行方向と列方向に区画する隔壁を備え、互いに隣接する行に沿って並ぶ前記単位発光領域の間の横壁部が行方向と平行な隙間によって分離されており、前記隙間内と列方向に隣接する単位発光領域の放電空間内とが連通部によって互いに連通されており、前記背面基板上の隙間内に面する部分において、列電極と対向する部分に、隔壁よりも高さが低い誘電体リブが形成されていることを特徴としている。
【００３９】
この第３の発明のプラズマディスプレイパネルによれば、列方向において互いに隣接する単位発光領域の間が隔壁の横壁部によって閉じられている場合でも、単位発光領域において発生する放電にともなう横壁間の隙間内における放電によって生じたプライミング粒子（種火）が、連通部を介して、列方向において隣接している単位発光領域内に拡散して放電を誘発し、これによって、列方向において隣接する単位発光領域間におけるプライミング効果が確保され、さらに、隔壁の横壁間の隙間内に形成された誘電体リブによって、背面基板側の列電極と前面基板側の行電極間の放電距離が短くなることにより、隙間内における放電が生じ易くなり、これによって、列方向におけるプライミング効果がさらに高められる。
【００４０】
第４のプラズマディスプレイパネルは、前記目的を達成するために、第３の発明の構成に加えて、前記列電極が誘電体リブ上に形成されていることを特徴としている。
この第４の発明によるプラズマディスプレイパネルによれば、隔壁の横壁間の隙間内に形成された誘電体リブによって、背面基板側の列電極と前面基板側の行電極間の距離が短くなり、放電距離が短縮されて、隙間内における放電がさらに生じ易くなって、列方向におけるプライミング効果がさらに高められる。
【００４１】
第５の発明によるプラズマディスプレイパネルは、前記目的を達成するために、第３の発明の構成に加えて、前記誘電体リブが、各列電極ごとに島状に形成されていることを特徴としている。
この第５の発明によるプラズマディスプレイパネルによれば、隔壁の横壁間の隙間内に形成された島状の誘電体リブによって、背面基板側の列電極と前面基板側の行電極間の放電距離が短くなることにより、隙間内における放電が生じ易くなり、これによって、列方向におけるプライミング効果がさらに高められる。
【００４２】
第６の発明によるプラズマディスプレイパネルは、前記目的を達成するために、第３の発明の構成に加えて、前記誘電体リブが、行方向に沿って延びる帯状に形成されていることを特徴としている。
この第６の発明によるプラズマディスプレイパネルによれば、隔壁の横壁間の隙間内に形成された帯状の誘電体リブによって、背面基板側の列電極と前面基板側の行電極間の放電距離が短くなることにより、隙間内における放電が生じ易くなり、これによって、列方向におけるプライミング効果がさらに高められる。
【００４３】
第７の発明によるプラズマディスプレイパネルは、前記目的を達成するために、第３の発明の構成に加えて、前記隔壁の横壁部および隙間に対向する誘電体層の部分に、横壁部側に張り出すように形成されて横壁部とともに列方向に隣接する単位発光領域の間を閉じる嵩上げ部が形成され、前記連通部が、嵩上げ部の前面基板側から見て隔壁の縦壁部と同列に並ぶ位置に、隔壁の縦壁部と同列に並ぶ位置に形成されていることを特徴としている。
【００４４】
第８のプラズマディスプレイパネルは、前記目的を達成するために、第３の発明の構成に加えて、前記隙間に対向する前面基板の部分に、光吸収層が設けられている。
この第８の発明によるプラズマディスプレイパネルによれば、非表示ラインである隔壁の横壁間の隙間に対向する前面基板の部分に形成された光吸収層によって、隙間内において列電極と行電極間にプライミングのための放電が発生しても、その光が前面基板側から画像表示面に漏れるのが防止されて、画像のコントラストに悪影響を与える虞がなくなる。
【００４５】
第９のプラズマディスプレイパネルは、前記目的を達成するために、前面基板の背面側に、行方向に延び列方向に並設されてそれぞれ表示ラインを形成する複数の行電極対とこの行電極対を被覆する誘電体層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、前記前面基板と背面基板との間に配置されて列方向に延びる縦壁部と行方向に延びる横壁部によって放電空間を単位発光領域毎に行方向と列方向に区画する隔壁を備え、互いに隣接する行に沿って並ぶ前記単位発光領域の間の横壁部が行方向と平行な隙間によって分離されており、前記隙間内と列方向に隣接する単位発光領域の放電空間内とが連通部によって互いに連通されており、前記背面基板上の隙間内に面する部分において、列電極と対向する部分に、２次電子放出係数が高い材料によって形成された層が設けられていることを特徴としている。
【００４６】
この第９の発明によるプラズマディスプレイパネルによれば、列方向において互いに隣接する単位発光領域の間が隔壁の横壁部によって閉じられている場合でも、単位発光領域において発生する放電にともなう横壁間の隙間内における放電によって生じたプライミング粒子（種火）が、連通部を介して、列方向において隣接している単位発光領域内に拡散して放電を誘発し、これによって、列方向において隣接する単位発光領域間におけるプライミング効果が確保される。
さらに、隔壁の横壁間の隙間内に、２次電子放出係数が高い材料によって層が形成されていることによって、隙間内における列電極と行電極間の放電が生じ易くなり、これによって、列方向におけるプライミング効果がさらに高められる。
なお、この２次電子放出係数が高い材料による層は、島状または行方向に延びる帯状に形成してもよい。
【００４７】
第１０のプラズマディスプレイパネルは、前記目的を達成するために、第９の発明の構成に加えて、前記隔壁の横壁部および隙間に対向する誘電体層の部分に、横壁部側に張り出すように形成されて横壁部とともに列方向に隣接する単位発光領域の間を閉じる嵩上げ部が形成され、前記連通部が、嵩上げ部の前面基板側から見て隔壁の縦壁部と同列に並ぶ位置に形成されていることを特徴としている。
【００４８】
第１１のプラズマディスプレイパネルは、前記目的を達成するために、第９の発明の構成に加えて、前記隙間に対向する前面基板の部分に、光吸収層が設けられていることを特徴としている。
この第１１の発明によるプラズマディスプレイパネルによれば、非表示ラインである隔壁の横壁間の隙間に対向する前面基板の部分に形成された光吸収層によって、隙間内において列電極と行電極間にプライミングのための放電が発生しても、その光が前面基板側から画像表示面に漏れるのが防止されて、画像のコントラストに悪影響を与える虞がなくなる。
【００４９】
第１２のプラズマディスプレイパネルは、前記目的を達成するために、前面基板の背面側に、行方向に延び列方向に並設されてそれぞれ表示ラインを形成する複数の行電極対とこの行電極対を被覆する誘電体層が設けられ、背面基板の前面基板と放電空間を介して対向する側に、列方向に延び行方向に並設されて行電極対と交差する位置においてそれぞれ放電空間に単位発光領域を構成する複数の列電極が設けられたプラズマディスプレイパネルにおいて、前記前面基板と背面基板との間に配置されて列方向に延びる縦壁部と行方向に延びる横壁部によって放電空間を単位発光領域毎に行方向と列方向に区画する隔壁を備え、互いに隣接する行に沿って並ぶ前記単位発光領域の間の横壁部が行方向と平行な隙間によって分離されており、前記隙間内と列方向に隣接する単位発光領域の放電空間内とが連通部によって互いに連通されており、前記背面基板の隙間に対向する部分に紫外線を放出する蛍光体層が設けられていることを特徴としている。
【００５０】
この第１２の発明によるプラズマディスプレイパネルによれば、列方向において互いに隣接する単位発光領域の間が隔壁の横壁部によって閉じられている場合でも、単位発光領域において発生する放電にともなう横壁間の隙間内における放電によって生じたプライミング粒子（種火）が、連通部を介して、列方向において隣接している単位発光領域内に拡散して放電を誘発し、これによって、列方向において隣接する単位発光領域間におけるプライミング効果が確保される。
さらに、隔壁の横壁間の隙間内に紫外線を放出する蛍光体層が設けられることによって、この蛍光体層から、放電の際に放電空間内の放電ガスから発生する真空紫外線により励起されることによって、紫外線が放出されてこの紫外線が単位発光領域内において２次電子を生じさせることにより、列方向において隣接する単位発光領域間におけるプライミング効果がさらに発生される。
【００５７】
【発明の実施の形態】
以下、この発明の最も好適と思われる実施の形態について、図面を参照しながら詳細に説明を行う。
【００５８】
図１ないし６は、この発明によるプラズマディスプレイパネル（以下、ＰＤＰという）の実施形態の第１の例を示すものであって、図１はこの第１の例におけるＰＤＰを模式的に表す平面図であり、図２は図１のＶ３−Ｖ３線における断面図、図３は図１のＶ４−Ｖ４線における断面図、図４は図１のＷ３−Ｗ３線における断面図、図５は図１のＷ４−Ｗ４線における断面図、図６は図１のＷ５−Ｗ５線における断面図である。
【００５９】
この図１ないし６に示されるＰＤＰは、表示面である前面ガラス基板１０の背面に、複数の行電極対（Ｘ，Ｙ）が、前面ガラス基板１０の行方向（図１の左右方向）に延びるように平行に配列されている。
【００６０】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００６１】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００６２】
この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００６３】
バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
【００６４】
前面ガラス基板１０の背面には、列方向において隣接する行電極対（Ｘ，Ｙ）のそれぞれの互いに背中合わせになったバス電極ＸｂとＹｂの間に、このバス電極Ｘｂ，Ｙｂに沿って行方向に延びる黒色の光吸収層（遮光層）３０が形成されており、さらに、隔壁３５の縦壁３５ａに対向する部分に、光吸収層（遮光層）３１が形成されている。
【００６５】
さらに、前面ガラス基板１０の背面には、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する嵩上げ誘電体層１１Ａが、バス電極Ｘｂ，Ｙｂと平行に延びるように形成されている。
【００６６】
そして、この誘電体層１１と嵩上げ誘電体層１１Ａの背面側には、ＭｇＯからなる保護層１２が形成されている。
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００６７】
背面ガラス基板１３の表示側の面上には、さらに、列電極Ｄを被覆する白色の誘電体層１４が形成され、この誘電体層１４上に、隔壁３５が形成されている。
【００６８】
この隔壁３５は、互いに平行に配列された各列電極Ｄの間の位置において列方向に延びる縦壁３５ａと、嵩上げ誘電体層１１Ａに対向する位置において行方向に延びる横壁３５ｂとによって梯子状に形成されており、この梯子状の隔壁３５によって、前面ガラス基板１０と背面ガラス基板１３の間の放電空間Ｓが、各行電極対（Ｘ，Ｙ）において対となった透明電極ＸａとＹａに対向する部分毎に区画されて、それぞれ方形の放電セルＣが形成されている。
【００６９】
この放電空間Ｓを区画する隔壁３５の横壁３５ｂは、表示ライン間の光吸収層３０と重なる位置に設けられた隙間ＳＬによって列方向に分離されている。
すなわち、隔壁３５は、表示ライン（行）Ｌ方向に沿って梯子状に形成され、列方向において表示ラインＬに沿って延びる隙間ＳＬを介して互いに平行になるように配置されている。
【００７０】
そして、この表示ラインＬ間に設けられた隙間ＳＬによって分割された横壁３５ｂの各部分３５ｂ’の幅は、それぞれ縦壁３５ａの幅と略同一になるように隙間ＳＬの幅が設定されている。
【００７１】
放電空間Ｓに面する隔壁３５の縦壁３５ａおよび横壁３５ｂの側面と誘電体層１４の表面には、これらの五つの面を全て覆うように蛍光体層１６が形成されており、この蛍光体層１６の色は、各放電セルＣ毎にＲ，Ｇ，Ｂの色が行方向に順に並ぶように設定されている（図４参照）。
そして、放電セルＣ内には、放電ガスが封入されている。
【００７２】
嵩上げ誘電体層１１Ａは、この嵩上げ誘電体層１１Ａを被覆している保護層１２が隔壁３５の横壁３５ｂ’の表示側の面に当接される（図５参照）ことによって、列方向において隣接する放電セルＣの間をそれぞれ閉じているが、この嵩上げ誘電体層１１Ａには、図１において隔壁３５の縦壁３５ａと同列に並ぶ位置に、列方向に延びて両端部が嵩上げ誘電体層１１Ａの上下の壁面に開口されるとともに背面側が解放された溝１１Ａａ（図５および６参照）が形成されていて、この溝１１Ａａを介して各放電セルＣが、列方向に並設された隔壁３５の横壁３５ｂ’間の隙間ＳＬにそれぞれ連通されている。
【００７３】
また、隔壁３５の縦壁３５ａの表示側の面は保護層１２に当接されておらず（図４参照）、その間に隙間ｒが形成されていて、行方向において隣接する放電セルＣがこの隙間ｒを介して互いに連通されている。
【００７４】
上記のＰＤＰは、行電極対（Ｘ，Ｙ）がそれぞれマトリクス表示画面の１表示ライン（行）Ｌを構成している。
【００７５】
このＰＤＰにおける画像の形成は、従来のＰＤＰと同様に、先ず、全放電セルにおいて列電極Ｄと行電極ＸまたはＹの間でリセット放電を行い、全放電セルＣの誘電体層１１の表面上に壁電荷を形成する。
【００７６】
次に、アドレス操作により、各放電セルＣにおいて行電極対（Ｘ，Ｙ）と列電極Ｄとの間で選択的に対向放電が行われ、全表示ラインＬに点灯セル（誘電体層１１の壁電荷が消去されなかった放電セルＣ）と消灯セル（誘電体層１１の壁電荷が消去された放電セルＣ）とが、表示する画像に対応して、パネル上に分布される。
【００７７】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて互いに対向する透明電極ＸａとＹａとの間で面放電が発生される。
【００７８】
以上のようにして、点灯セルにおける面放電により紫外線が発生され、放電空間Ｓ内のＲ，Ｇ，Ｂの各蛍光体層１６がそれぞれ励起されて発光することにより、表示する画像が形成される。
【００７９】
上記ＰＤＰは、隔壁３５の縦壁３５ａの表示側の面と誘電体層１１を被覆する保護層１２との間に形成された隙間ｒによって、各放電セルＣへの放電ガスの封入や放電セルＣからの放電ガスの排気が行われ、さらに、行方向において隣接する放電セルＣ間において連鎖的に放電を生じさせるプライミング効果が確保される。
【００８０】
そして、列方向において互いに隣接する放電セルＣの間は、嵩上げ誘電体層１１Ａによって閉塞されていることによって、画像形成のための放電が列方向に隣接する他の放電セルＣに広がって誤放電が生じるのが防止されるが、各放電セルＣは、この嵩上げ誘電体層１１Ａに形成されている溝１１Ａａによってそれぞれ梯子状の隔壁３５間の隙間ＳＬ内に連通されており、この溝１１Ａａを介して隙間ＳＬから列方向に並んでいる放電セルＣにプライミング粒子（種火）が導入されることによって、列方向における上記の行方向におけるようなプライミング効果が確保される。
【００８１】
すなわち、列電極Ｄと行電極ＸまたはＹ間に、リセット操作時のリセット放電（全放電セルＣに一旦壁電荷を形成させるための放電）と、アドレス操作時の選択放電（リセット放電によって形成された壁電荷を表示画像データに応じて選択的に消去する放電）を発生させるための駆動パルス（リセット操作時に列電極Ｄと行電極ＸまたはＹに印加されるリセットパルス、および、アドレス操作時に行電極Ｘ，Ｙの一方に印加される走査パルス，列電極Ｄに印加される表示データパルス）が印加される際に、嵩上げ誘電体層１１Ａが形成されている部分では列電極Ｄと行電極Ｘ，Ｙ間の放電距離が短くなっていて放電が生じ易くなっていることにより、隙間ＳＬ内において列電極Ｄと行電極Ｘ，Ｙとの間に放電が発生する。
【００８２】
そして、この隙間ＳＬ内における放電によって生じたプライミング粒子（種火）が溝１１Ａａを介して列方向に隣接している放電セルＣ内に拡散することにより、隣接する放電セルＣ間で放電を誘発させるプライミング効果を発生させる。
【００８３】
ここで、非表示ラインであるバス電極ＸｂとＹｂに挟まれた領域に黒色または暗褐色の遮光層３０が設けられており、さらに、バス電極ＸｂとＹｂの表示面側がそれぞれ黒色導電層Ｘｂ’，Ｙｂ’によって構成されていることによって、外光の反射が防止されてコントラストの向上が図られるとともに、隙間ＳＬ内において列電極Ｄと行電極Ｘ，Ｙ間にプライミングのための放電が発生しても、その光が画像のコントラストに悪影響を与える虞はない。
【００８４】
なお、上記ＰＤＰは、放電空間Ｓを区画する隔壁３５の横壁３５ｂが表示ラインＬ間に設けられた隙間ＳＬによって列方向に分離され、この分離された横壁３５ｂ’の幅が、それぞれ縦壁３５ａの幅と略同一になるように設定されることによって、隔壁３５の焼成時の収縮によるばらつきが少なくなり、これによって、前面ガラス基板１０や背面ガラス基板１３の反りおよび隔壁３５の破損などによる放電セル形状の変形が生じる虞がなくなる。
【００８５】
次に、この発明の実施形態における第２の例を、図７ないし９に基づいて説明する。
【００８６】
図７はこの第２の例におけるＰＤＰを模式的に表す平面図であり、図８は図７のＶ５−Ｖ５線における断面図、図９は図７のＷ６−Ｗ６線における断面図である。
この図７ないし９に示されるＰＤＰは、隙間ＳＬ内の誘電体層１４上の列電極Ｄに対向する部分に、誘電体層１４と同一の誘電体によって形成された横壁３５ｂ’の高さよりも低い誘電体リブ４０を備えているものである。
このＰＤＰの他の部分の構成は、第１の例のＰＤＰと同様であり、同一の符号が付されている。
【００８７】
この例におけるＰＤＰは、隙間ＳＬ内に形成された誘電体リブ４０によって、列電極Ｄと行電極Ｘ，Ｙ間の放電距離が短くなることにより、隙間ＳＬ内における放電が生じ易くなり、これによって、列方向におけるプライミング効果がさらに高められる。
【００８８】
なお、図７においては、誘電体リブ４０が放電セルＣの各列ごとに形成されている例が示されているが、図１０に示されるように、隙間ＳＬ内に帯状の誘電体リブ４０’を行方向に沿って延びるように形成しても良い。
【００８９】
次に、この発明の実施形態における第３の例を、図１１および１２に基づいて説明する。
【００９０】
図１１は図８（図７のＶ５−Ｖ５線における断面図）に相当する断面図であり、図１２は図９（図７のＷ６−Ｗ６線における断面図）に相当する断面図である。
【００９１】
この例におけるＰＤＰは、上記第２の例におけるＰＤＰの誘電体リブ４０が誘電体層１４上に形成されていたのに対して、誘電体リブ５０が背面ガラス基板１３と列電極Ｄの間に形成されており、この誘電体リブ５０が形成されている部分において列電極Ｄおよびこの列電極Ｄを被覆している誘電体層１４が嵩上げ誘電体層１１Ａ側に盛り上がっているものである。
このＰＤＰの他の部分の構成は、第１の例のＰＤＰと同様であり、同一の符号が付されている。
【００９２】
この例におけるＰＤＰも、第２の例と同様に、隙間ＳＬ内に形成された誘電体リブ５０によって、列電極Ｄと行電極Ｘ，Ｙ間の放電距離が短くなることにより、隙間ＳＬ内における放電が生じ易くなり、これによって、列方向におけるプライミング効果がさらに促進される。
なお、図１１および１２においては、誘電体リブ５０が隙間ＳＬ内において帯状に形成されている場合が示されているが、放電セルＣの各列ごとに島状に形成するようにしても良い。
【００９３】
次に、この発明の実施形態における第４の例を、図１３および１４に基づいて説明する。
【００９４】
図１３は図８（図７のＶ５−Ｖ５線における断面図）に相当する断面図であり、図１４は図９（図７のＷ６−Ｗ６線における断面図）に相当する断面図である。
【００９５】
この例におけるＰＤＰは、隙間ＳＬ内の誘電体層１４上の列電極Ｄに対向する位置に、ＭｇＯやＣａＯなどの２次電子放出係数が高い材料によって形成された高γ層６０が設けられているものである。
【００９６】
この高γ層６０は、島状または行方向に延びる帯状に形成してもよく、また、誘電体層１４の全面を覆うように形成しても良い。
また、誘電体層１４に２次放電放出係数が高い材料を混合するようにしても良く、また、誘電体層１４すなわち列電極保護層そのものを２次電子放出係数が高い材料によって形成された高γ層にしても良い。
【００９７】
この例におけるＰＤＰは、隙間ＳＬ内に形成された高γ層６０を構成する２次電子放出係数が高い材料によって、隙間ＳＬ内における列電極Ｄと行電極Ｘ，Ｙ間の放電が生じ易くなり、これによって、列方向におけるプライミング効果がさらに促進される。
【００９８】
次に、この発明の実施形態における第５の例を、図１５に基づいて説明する。
【００９９】
図１５はこの第５の例におけるＰＤＰを模式的に表す平面図である。
この第５の例によるＰＤＰは、上記第１ないし４の例のＰＤＰが隔壁の横壁間の隙間と放電セルとの連通を嵩上げ誘電体層に形成された溝によって行っていたのに対し、梯子状の隔壁４５の横壁４５ｂの透明電極Ｘａ，Ｙａとバス電極Ｘｂ，Ｙｂがそれぞれ重なっている位置とは別の位置に、スリットｓｌが形成されていて、このスリットｓｌによって、各放電セルＣと隙間ＳＬとが連通されるようになっているものである。
他の構成は、第１の例のＰＤＰと同様であり、同一の符号が付されている。
【０１００】
この例におけるＰＤＰも、第１の例と同様に、画像形成時に隙間ＳＬ内において発生する放電によって生じたプライミング粒子（種火）が、スリットｓｌを介して列方向に隣接している放電セルＣ内に拡散して、隣接する放電セルＣ間で放電を誘発させるプライミング効果を発生させる。
【０１０１】
なお、このスリットｓｌが隔壁４５の横壁４５ｂ’の透明電極Ｘａ，Ｙａとバス電極Ｘｂ，Ｙｂが重なっている位置とは別の位置に設けられるのは、放電の広がりを抑制する隔壁４５の横壁４５ｂ’の機能を損なうことがないようにするためである。
【０１０２】
次に、この発明の実施形態における第６の例を、図１６に基づいて説明する。
【０１０３】
図１６はこの第６の例におけるＰＤＰを模式的に表す平面図である。
この例によるＰＤＰは、前記第１の例のＰＤＰが隔壁の横壁間の隙間と放電セルとの連通を嵩上げ誘電体層に形成された溝によって行っていたのに対し、放電セルＣを区画する隔壁５５の横壁５５ｂ’の高さが嵩上げ誘電体層１１Ａを被覆する保護層１２と誘電体層１４との間隔よりも小さくなるように設定されていて、横壁５５ｂ’の表示面側と嵩上げ誘電体層１１Ａを被覆する保護層１２との間に隙間ｒ１が形成されているものである。
他の構成は、第１の例のＰＤＰと同様であり、同一の符号が付されている。
【０１０４】
この例のＰＤＰにおいても、第１の例の場合と同様に、隙間ＳＬ内における放電によって生じたプライミング粒子（種火）が隙間ｒ１を介して列方向に隣接している放電セルＣ内に拡散することによって、隣接する放電セルＣ間において放電を誘発させるプライミング効果が発生される。
【０１０５】
この隙間ｒ１が形成される位置は、隔壁５５の横壁５５ｂ’の放電セルＣに面する部分の一部または全部であっても良いが、何れの場合にも、放電セルＣ内で発生される面放電が列方向に隣接する他の放電セルＣに広がるのを防止することが出来る位置に設定され、さらに、隙間ｒ１の縦および横の幅も、面放電の他の放電セルＣへの広がりを防止することが出来る寸法に設定される。
【０１０６】
上述の図１３に示される第４の例において、隙間ＳＬ内の誘電体層１４上に、高γ層６０の代わりに、紫外線を放出する蛍光体層を設けるようにしてもよい。
【０１０７】
この場合には、放電の際に放電空間Ｓ内の放電ガスに含まれるキセノンによって発生する真空紫外線によって励起されることにより、蛍光体層から紫外線が放出され、この紫外線が放電セルＣ内において２次電子を生じさせることによって、プライミング効果を発生させる。
【図面の簡単な説明】
【図１】この発明の第１の例を模式的に表す平面図である。
【図２】図１のＶ３−Ｖ３線における断面図である。
【図３】図１のＶ４−Ｖ４線における断面図である。
【図４】図１のＷ３−Ｗ３線における断面図である。
【図５】図１のＷ４−Ｗ４線における断面図である。
【図６】図１のＷ５−Ｗ５線における断面図である。
【図７】この発明の第２の例を模式的に表す平面図である。
【図８】図７のＶ５−Ｖ５線における断面図である。
【図９】図７のＷ６−Ｗ６線における断面図である。
【図１０】この発明の第２の例の変形例を模式的に表す平面図である。
【図１１】この発明の第３の例を示す側断面図である。
【図１２】図１１のXII−XII線における断面図である。
【図１３】この発明の第４の例を示す側断面図である。
【図１４】図１３のXIV−XIV線における断面図である。
【図１５】この発明の第５の例を模式的に表す平面図である。
【図１６】この発明の第６の例を示す側断面図である。
【図１７】従来のＰＤＰの構成を模式的に表す平面図である。
【図１８】図１７のＶ−Ｖ線における断面図である。
【図１９】図１７のＷ−Ｗ線における断面図である。
【図２０】出願人の提案にかかるＰＤＰを模式的に表す平面図である。
【図２１】図２０のＶ１−Ｖ１線における断面図である。
【図２２】図２０のＶ２−Ｖ２線における断面図である。
【図２３】図２０のＷ１−Ｗ１線における断面図である。
【図２４】図２０のＷ２−Ｗ２線における断面図である。
【符号の説明】
１０                  …前面ガラス基板（前面基板）
１１                  …誘電体層
１１Ａ                …嵩上げ誘電体層（嵩上げ部）
１１Ａａ              …溝（連通部）
１２                  …保護層
１３                  …背面ガラス基板（背面基板）
１４                  …誘電体層
１５，３５，４５，５５…隔壁
１５ａ，３５ａ，４５ａ…縦壁（縦壁部）
１５ｂ，３５ｂ，４５ｂ，５５ｂ…横壁（横壁部）
３５ｂ’，４５ｂ’，６５ｂ’…横壁（横壁部）
１６                  …蛍光体層
３０                  …光吸収層
３１                  …光吸収層
４０，４０’，５０    …誘電体リブ
６０                  …高γ層
Ｘ                    …行電極
Ｙ                    …行電極
Ｘａ                  …透明電極
Ｙａ                  …透明電極
Ｘｂ                  …バス電極
Ｙｂ                  …バス電極
Ｘｂ’，Ｙｂ’         …黒色層
Ｘｂ”，Ｙｂ”         …白色層
Ｄ                    …列電極
Ｓ                    …放電空間
ＳＬ                  …隙間
ｓｌ                  …スリット（連通部）
Ｃ                    …放電セル（単位発光領域）
Ｌ                    …表示ライン
ｇ                    …ギャップ
ｒ                    …隙間
ｒ１                  …隙間（連通部）
【図１】
0003796088.tif 000002
【図２】
0003796088.tif 000003
【図３】
0003796088.tif 000004
【図４】
0003796088.tif 000005
【図５】
0003796088.tif 000006
【図６】
0003796088.tif 000007
【図７】
0003796088.tif 000008
【図８】
0003796088.tif 000009
【図９】
0003796088.tif 000010
【図１０】
0003796088.tif 000011
【図１１】
0003796088.tif 000012
【図１２】
0003796088.tif 000013
【図１３】
0003796088.tif 000014
【図１４】
0003796088.tif 000015
【図１５】
0003796088.tif 000016
【図１６】
0003796088.tif 000017
【図１７】
0003796088.tif 000018
【図１８】
0003796088.tif 000019
【図１９】
0003796088.tif 000020
【図２０】
0003796088.tif 000021
【図２１】
0003796088.tif 000022
【図２２】
0003796088.tif 000023
【図２３】
0003796088.tif 000024
【図２４】
0003796088.tif 000025